(57)【特許請求の範囲】
【請求項１】
ファンモータと、
前記ファンモータの出力軸に取付けられるファンと、
前記ファンを覆うファンガード部、該ファンガード部の後方に配されて前記ファンモータを収容するモータハウジング部を有するケーシングと、
前記モータハウジング部を上下方向に回動可能に支持する回動軸と、
前記モータハウジング部に設けられ、該モータハウジング部を上下方向に回動させる首振りモータと、を備え
前記ファンモータは、前記回動軸の前方に、
前記首振りモータは、前記回動軸の上方に配置され、断面から見て前記回動軸から鉛直方向に線を引いた際に、前記線と重なる位置に配置される送風装置。
【請求項２】
ファンモータと、
前記ファンモータの出力軸に取付けられるファンと、
前記ファンを覆うファンガード部、該ファンガード部の後方に配されて前記ファンモータを収容するモータハウジング部を有するケーシングと、
前記モータハウジング部を上下方向に回動可能に支持する回動軸と、
前記モータハウジング部に設けられ、該モータハウジング部を上下方向に回動させる首振りモータと、を備え
前記ファンモータは、前記回動軸の前方に、
前記首振りモータは前記回動軸の下方に配置され、断面から見て前記回動軸から鉛直方向に前記線を引いた際に、前記線と前記首振りモータが重なる位置に配置される送風装置。
【請求項３】
前記回動軸は、前記出力軸の延長線上に位置する請求項１または２に記載の送風装置。
【請求項４】
さらに前記ケーシングを支持するケーシング支持部と、
前記ケーシング支持部と接続されて送風装置を支持するスタンドとを設け、
前記ケーシング支持部は、前記スタンドに接続される接続部と前記接続部の両端から上方へ突出する腕部を有してＵ字型形状を成し、
前記回動軸は、前記ケーシングと前記ケーシング支持部とを接続して、前記ケーシングを回動自在に軸支する請求項１〜３のいずれかに記載の送風装置。
【請求項５】
前記首振りモータは、その回転力を複数の減速ギヤを介して前記回動軸に伝える首振り機構を構成し、
前記首振り機構は、前記モータハウジング部に収容されている請求項１〜４のいずれかに記載の送風装置。
【発明の詳細な説明】
【技術分野】
【０００１】
本発明は、上下方向への首振りが可能な送風装置に関する。
【背景技術】
【０００２】
送風装置が備える羽根車（ファン）は、ファンガードにより覆われている。特に、サーキュレータとして構成される送風装置においては、ファンガードとしての機能を有する１つのケーシング内に、ファン及びファン駆動モータが収容されていることが一般的である（例えば、特許文献１を参照）。
【０００３】
また、従来のサーキュレータは、ファン及びファン駆動モータを収容しているケーシングの外周面を、左右一対の支持部材により回動自在に支持することにより、送風角度を上下方向に調節することができるように構成されているものが多い。
【先行技術文献】
【特許文献】
【０００４】
【特許文献１】実用新案登録第３１０４９００号公報
【発明の概要】
【発明が解決しようとする課題】
【０００５】
サーキュレータは、室内で使用されるものであり、省スペースであることが好ましい。しかしながら、上述したような従来のサーキュレータでは、ケーシングの外周面に支持部材が設けられているので、モータなどの駆動装置により自動首振り機構を設けようとした場合、ケーシング外周面の更に外側に駆動装置を設ける必要があり、省スペース化を図ることが困難であるという問題点を有していた。
【０００６】
本発明は、斯かる事情に鑑みてなされたものであり、自動首振り機構を設けつつ、省スペース化を図ることができる送風装置を提供することを目的とする。
【課題を解決するための手段】
【０００７】
本発明に係る送風装置は、ファンモータと、このファンモータの出力軸に取付けられるファンと、このファンを覆うファンガード部、該ファンガード部の後方に配されて前記ファンモータを収容するモータハウジング部を有するケーシングと、上記モータハウジング部を上下方向に回動可能に支持する回動軸と、前記回動軸の回りに前記ケーシングを回動させる駆動手段を備え、前記羽根車の取付側とは反対側へ前記モータから離隔した位置に前記回動軸を配してある。
【０００８】
また、本発明に係る送風装置は、前記ファンモータを、前記回動軸の前方に、前記首振りモータを、前記回動軸の下方に、それぞれ配置する。
【０００９】
このようにすることによって、前記回動軸よりも後方のモータハウジング部の長さを抑えることが出来、モータハウジング部をコンパクトにすることが出来る。また、モータハウジング部の重心を下げることが出来る。
【００１０】
また、本発明に係る送風装置は、前記ファンモータを前記回動軸の前方に、前記首振りモータを前記回動軸の上方に、それぞれ配置する。
【００１１】
このようにすることによって、前記回動軸よりも後方の長さを抑えることが出来、モータハウジング部をコンパクトにすることが出来る。
【００１２】
本発明にあっては、ケーシングを回動させる駆動部をケーシング内部に収容することができ、ケーシングの外側に駆動装置を設ける必要がなくなるため、装置全体の省スペース化が図られる。
【００１３】
また、本発明にあっては、回動軸より後ろのケーシングの長さを短くすることが出来るので、ケーシング支持部の高さを下げることが出来送風時の姿勢を安定させることが出来る。
【発明の効果】
【００１４】
本発明によれば、自動首振り機構を設けつつ、省スペース化を図ることができる。
また、本発明によれば、モータハウジング部の長さを抑えられるので、長さを短くした分ケーシングを上方へ回動した時に、ケーシング支持部との間に余裕を生じる。従ってケーシング支持部の高さを下げることが出来、送風時またはケーシング回動時に装置全体の姿勢の安定性を高めることができる。
【図面の簡単な説明】
【００１５】
【図１】本発明の第１実施形態に係る送風装置の正面図である。
【図２】図１の送風装置の側面図である。
【図３】図１のＩＩＩ−ＩＩＩ線における断面図である。
【図４】送風方向が上向きとなる場合の送風装置を示す正面図である。
【図５】送風方向が上向きとなる場合の送風装置を示す側面図である。
【図６】図４のＶＩ−ＶＩ線における断面図である。
【図７】ケーシングの回動範囲を規制する規制手段の構成を示す模式図である。
【図８】本発明に係る送風装置の制御系の構成を示すブロック図である。
【図９】本発明の第２の実施形態における断面図である。
【図１０】本発明の第３の実施形態における回動軸の位置を説明する図である。
【発明を実施するための形態】
【００１６】
〔実施形態1〕
以下、本発明をその実施の形態を示す図面に基づいて具体的に説明する。
図１は本実施の形態に係る送風装置１の正面図であり、図２はその側面図、図３は図１のＩＩＩ−ＩＩＩ線における断面図である。本実施の形態に係る送風装置１は、床置き式のサーキュレータとして構成されている。図１〜図３では、送風装置１による送風方向が水平方向となる姿勢を示している。
【００１７】
送風装置１は、床や棚の上に載置されるスタンド１４、及びスタンド１４により回動可能に支持されるケーシング２０を備える。
スタンド１４は、平面視で円形状に形成された台座部１４１と、この台座部１４１の中心より後方側から垂直に立設される支柱部１４２と、支柱部１４２の上側に設けられ、ファン１１及びファンモータ１２が収容されたケーシング２０を回動可能に支持するケーシング支持部１４３とを備える。ケーシング２０は、空気流を発生させるためのファン１１を駆動するファンモータ１２などを収容する。
【００１８】
ケーシング２０は、略水平方向（横方向）の回動軸１０を有し、ケーシング支持部１４３は、この回動軸１０を軸支する左右一対の軸受け部４０（図７を参照）を備える。ケーシング２０内には、首振りモータ３１を備えた首振り機構部３０が設けられており、首振りモータ３１による駆動力を減速ギヤ３２などの複数のギヤを介して回動軸１０に伝達し、回動軸１０の回りにケーシング２０を回動させることによって、ケーシング２０を上下方向へ首振りさせ、ファン１１による送風方向を上下方向に変化させる。
【００１９】
首振り機構部３０は、首振りモータ３１による駆動力を回動軸１０に伝達し、回動軸１０の回りにケーシング２０を回動させることが出来ればよいので、首振りモータ３１は回動軸の周りで適宜位置を選択することが出来る。
【００２０】
ケーシング支持部１４３は、支柱部１４２に対して垂直方向に移動可能に構成されており、支柱部１４２に設けられたボタン１４３ａを操作することで、ケーシング支持部１４３を上下動させ、ケーシング２０の高さを設定することができるように構成されている。また、ケーシング支持部１４３は、支柱部１４２に対して左右方向に回動可能に軸支される。これにより、ケーシング２０の左右方向の首振りを可能とし、ファン１１による送風方向を左右方向に変化させることができる。送風装置１は、左右方向の首振りを自動で行わせるために、支柱部１４２の軸長方向の回りにケーシング支持部１４３を回動させるためのモータ１４３ｂを備える。
【００２１】
送風装置１のファン１１は、例えば、３枚の羽根部材を備え、ファンモータ１２の出力軸１２１に取付けられる。ファンモータ１２により駆動されることによって、ファン１１は、所定方向（正面から見て時計回り）に回転し、ファンモータ１２とは反対側への空気流を発生させる。すなわち、図２に示した側面図において、ファン１１により発生する空気流は、ファン１１よりも左側へ送出されるように構成されている。以下では、送風方向の下流側をケーシング２０の前方、送風方向の上流側をケーシング２０の後方とする。
【００２２】
ケーシング２０は、ファンモータ１２及び上下方向の首振り機構部３０が設けられるモータハウジング部２１、ファン１１の外周及び後方を覆うファンガード部２２、並びにファン１１の前方を覆うカバー２３により構成される。モータハウジング部２１及びファンガード部２２は一体的に形成され、カバー２３はファンガード部２２に着脱可能に取付けられる。
【００２３】
モータハウジング部２１は、ファンモータ１２を収容する第１収容部２１１、及び首振り機構部３０を収容する第２収容部２１２を備える。また、本実施の形態に係る送風装置１は、イオン発生装置２１３ａを備えており、モータハウジング部２１は、前記第１及び第２収容部２１２に加えて、イオン発生装置２１３ａを収容するための第３収容部２１３を備える。
【００２４】
第１収容部２１１は、モータハウジング部２１の前方側中央付近に設けられ、ファンモータ１２の出力軸１２１をファンガード部２２の側へ突出させる開口部２１１ａを備える。ファンモータ１２は、出力軸１２１が開口部２１１ａより前方へ突出した状態で第１収容部２１１内に固定される。
【００２５】
第２収容部２１２は、モータハウジング部２１の後方側中央付近（第１収容部２１１の後方）に設けられ、その内部に、ケーシング２０を上下方向に回動させる首振り機構部３０を収容する。本発明では、ファン１１の取付側とは反対側へファンモータ１２から離隔した位置（すなわち、ファンモータ１２の後方）に、ケーシング２０の回動軸１０を配置してあることを特徴の１つとしている。
【００２６】
第３収容部２１３は、モータハウジング部２１の前方側上部（第１収容部２１１の上側）に設けられ、その内部にイオン発生装置２１３ａを収容する。第３収容部２１３の前方側にはイオン送出口２１３ｂが設けられている。イオン発生装置２１３ａから発生するイオンは、イオン送出口２１３ｂを通じてファンガード部２２内に拡散し、ファン１１の回転に伴う送風流によって前方へ運ばれる。
【００２７】
ファンガード部２２は、前方側に正面視で円形状の開口縁部２２１を有し、この開口縁部２２１を通じてカバー２３が着脱可能に取付けられるように構成されている。また、ファンガード部２２の後方側には、前述したモータハウジング部２１が一体的に形成されている。ファンガード部２２の外周部及び後方部には、スリット２２２，２２３が設けられており、ファン１１の駆動時には、スリット２２２，２２３を通じてファンガード部２２の内部に装置外部の空気を取り込み、ファン１１の回転により空気流を発生させるように構成されている。
【００２８】
カバー２３は、正面視で円形状に形成されており、図１に示すように、中心から放射状に設けられる多数の風切り部材２３１，２３１，２３１，…を備える。送風装置１は、ファン１１によって前方外側へ拡散しようとする風の向きをカバー２３に設けた風切り部材２３１により変更し、送風方向の直進性を高めるように構成されている。
【００２９】
カバー２３は、ファンガード部２２の開口縁部２２１の外径より少しだけ大きな外径を有する開口縁部２３２を有する。この開口縁部２３２の内周面には複数の係止溝が周方向に形成される。また、ファンガード部２２の前方側の開口縁部２２１には、係止溝と同じ数だけの係止突起が形成される。使用者は、カバー２３側の係止溝とファンガード部２２側の係止突起とを位置合わせして、カバー２３側の係止溝をファンガード部２２側の係止突起に挿入し、カバー２３を周方向に回すことによって両者を係合させ、ファンガード部２２へのカバー２３の取付けを行う。
【００３０】
また、カバー２３は、カバー外周面の内径より小さな外径を有し、カバー外周面と対向するように設けられた環状の区画壁２３３を備える。この区画壁２３３の内径は、図１に示すように、ファン１１の外径よりも大きくなるように構成されている。ファン１１の回転によって発生する空気流は、この区画壁２３３の内側を通り、送風装置１の外部へ送出される。一方、カバー２３の嵌合部と区画壁２３３とによって形成される隙間は、送風装置１の外側からケーシング２０内部へ空気が流れ込む開口部となる。
【００３１】
すなわち、本実施の形態においては、ファン１１による下流方向への空気流と、装置外部から流れ込む上流方向への空気流とを区画壁２３３によって分離する構成としている。これにより、装置外部から流れ込む空気流とファン１１による下流方向への空気流との間の干渉が軽減されるので、ファン１１による送風流が弱められたり、送風方向の直進性が低下したりすることが回避される。
【００３２】
図４は送風方向が上向きとなる場合の送風装置１を示す正面図であり、図５はその側面図、図６は図４のＶＩ−ＶＩ線における断面図である。図４〜図６では、送風装置１による送風方向が上向きとなる姿勢を示している。本発明において上向き姿勢とは、ケーシング２０が上方に回動してカバー２３の下端が回動軸１０の中心よりも上方にある状態をいうこととする。また、回動軸１０とファン１１の中心とを結ぶ線が水平から６０°以上傾いた状態であるともいえる。
【００３３】
本発明では、ファンモータ１２の出力軸１２１が仰角域にて９０度未満、より好ましくは８８度以下となるように、ケーシング２０の回動範囲を規制することを特徴の１つとしている。図４に示すように、この状態では、概ねＵ字型を成しているケーシング支持部１４３の両腕の間の空間をモータハウジング部２１が埋めたようになる。最も重いファンモータ１２とファン１１が回動軸１０よりも高い位置になることで、安定性が低下する可能性がある。このような姿勢でも安定性を向上するために、スタンド１４の中心軸の延長線上に回動軸１０の中心軸が存在するように構成することが好ましい。
また、送風装置１は、俯角が１０度以下となるようにケーシング２０の回動範囲を規制するようにしている。
【００３４】
図７はケーシング２０の回動範囲を規制する規制手段の構成を示す模式図である。前述したように、ケーシング支持部１４３は、ケーシング２０の回動軸１０を両端にて軸支する左右一対の軸受け部４０を備える。ケーシング２０は、首振り機構部３０が備える首振りモータ３１の駆動力によって、回動軸１０の回りに回動するように構成されている。軸受け部４０には、回動軸１０の端部が嵌合する凹部が設けられている。回動軸１０の両端は左右一対の軸受け部４０の凹部にそれぞれ嵌合されることによって、回動軸１０はケーシング支持部１４３に支持される。
【００３５】
軸受け部４０は、回動軸１０の軸長方向に立設される規制部材４１を備える。規制部材４１は、ケーシング２０の仰角域における回動範囲を規制するための上側当接面４１１、及び俯角域における回動範囲を規制するための下側当接面４１２を有する。首振り機構部３０の筐体には外向きに突出する突片３５が形成されており、回動軸１０の回りにケーシング２０が上方向に回動した場合に突片３５が上側当接面４１１に当接し、回動軸１０の回りにケーシング２０が下方向に回動した場合に突片３５が下側当接面４１２に当接するように構成されている。
【００３６】
本実施の形態では、突片３５が上側当接面４１１に当接した場合に、ファンモータ１２の出力軸１２１の仰角が９０度未満、より好ましくは８８度以下となるように、突片３５及び上側当接面４１１の位置関係が予め調節される。また、突片３５が下側当接面４１２に当接した場合に、ファンモータ１２の出力軸１２１の俯角が１０度以下となるように、突片３５及び下側当接面４１２の位置関係が予め調節される。
【００３７】
本実施形態においては、首振りモータ３１は、回動軸１０の下方に配置されている。このようにすることで、図３において回動軸１０よりも右側になるモータハウジング部の長さが抑えられ、ケーシング２全体がコンパクトにできる。また、ケーシング２の重心が下がり姿勢の安定性が向上する。
【００３８】
図８は本実施の形態に係る送風装置１の制御系の構成を示すブロック図である。送風装置１は、操作部１０１、リモコン信号受信部１０２、制御部１０３、第１及び第２モータドライバ１０４，１０５、ファンモータ１２、及び首振りモータ３１を備える。なお、図８においては、左右方向の首振りを行わせるための制御系の構成、及びイオン発生装置２１３ａの動作を制御するための制御系の構成については図示していない。
【００３９】
操作部１０１は、例えば台座部１４１の正面側に設けられ、各種の操作ボタンを備える。操作部１０１が備える操作ボタンには、送風を開始又は停止させる操作ボタン、風量を調節させる操作ボタン、ケーシング２０の上下方向の首振りを開始又は停止させる操作ボタンが含まれる。ユーザの操作により何れかの操作ボタンが押下された場合、操作部１０１は、その旨を示す信号を制御部１０３へ出力する。
【００４０】
リモコン信号受信部１０２は、図に示していないリモートコントローラ（リモコン）から送信される赤外線信号を受信する。リモートコントローラには、操作部１０１と同様に、送風を開始又は停止させる操作ボタン、風量を調節させる操作ボタン、ケーシング２０の上下方向の首振りを開始又は停止させる操作ボタンなどが含まれる。ユーザの操作により何れかの操作ボタンが入切された場合、リモートコントローラは、その旨を示す赤外線信号を送信する。リモコン信号受信部１０２は、リモートコントローラからの赤外線信号を受信した場合、赤外線信号をデコードし、リモートコントローラによる操作に応じた信号を制御部１０３へ出力する。
【００４１】
制御部１０３は、例えばマイクロプロセッサを備える。制御部１０３は、操作部１０１又はリモコン信号受信部１０２から出力される信号を受信した場合、受信した信号に応じた制御を行う。例えば、制御部１０３は、送風開始指示を示す信号を操作部１０１又はリモコン信号受信部１０２から受信した場合、ＤＣモータであるファンモータ１２の駆動開始を指示する制御信号を第１モータドライバ１０４へ出力する。この制御信号を受信した第１モータドライバ１０４は、ファンモータ１２への電流をオンし、ファンモータ１２の駆動を開始する。
【００４２】
また、制御部１０３は、上下方向の首振り開始指示を示す信号を操作部１０１又はリモコン信号受信部１０２から受信した場合、ステッピングモータである首振りモータ３１の駆動開始を指示する制御信号を第２モータドライバ１０５へ出力する。この制御信号を受信した第２モータドライバ１０５は、首振りモータ３１の出力軸を正方向へ所定角度だけ回転させるパルス信号と逆方向に所定角度だけ回転させるパルス信号とを交互に出力し、首振りモータ３１による上下方向のケーシング２０の首振りを実施させる。
【００４３】
本実施の形態においては、軸受け部４０に設けた規制部材４１により回動範囲を物理的に規制するので、第２モータドライバ１０５の制御によってケーシング２０の角度制御を行う必要はない。このため、第２モータドライバ１０５は、ケーシング２０の回動範囲を超える角度範囲（例えば、１００度以上）で、首振りモータ３１を正方向に回動させるパルス信号と逆方向に回動させるパルス信号とを交互に出力する構成とすればよい。
【００４４】
なお、制御部１０３は、上下方向の首振り停止指示を示す信号を操作部１０１又はリモコン信号受信部１０２から受信した場合、首振りモータ３１の駆動停止を指示する制御信号を第２モータドライバ１０５へ出力する。このとき、第２モータドライバ１０５は、首振りモータ３１を駆動するためのパルス信号の出力を停止する。
【００４５】
以上のように、本実施形態においては、ファンモータ１２の後方に配した略水平方向の回動軸１０の回りにケーシング２０を回動させることによって、上下方向の首振りを行わせている。これにより、回動軸１０を駆動するモータ等により構成される首振り機構部３０をケーシング２０内部に収容することが可能であり、ケーシング２０の外側に首振り機構を設ける場合と比較して、省スペース化を図ることができる。
【００４６】
また、本実施形態においては、首振りモータ３１の駆動力によりケーシング２０を上下方向に首振りさせ、送風方向を上下方向に自動で変化させることができる。ケーシング２０を上下方向に首振りさせる際、首振り機構部３０は、首振りモータ３１による駆動力を減速ギヤ３２などの複数のギヤを介して回動軸１０に伝達することにより、ケーシング２０を回動軸１０の回りに回動させる。
【００４７】
ケーシング２０が上向きとなった場合、首振り機構部３０でのバックラッシュの存在に起因して、ケーシング２０の急激な重心変動が発生し、送風装置１の姿勢が不安定になる場合がある。本実施の形態では、ケーシング２０の回動範囲を規制する規制部材４１を備えており、ファンモータ１２の出力軸が仰角域にて９０度未満、より好ましくは８８度以下となるように、ケーシング２０の回動範囲を規制しているので、上述したようなケーシング２０の急激な重心変動を抑制し、送風装置１の姿勢の安定性を維持することが可能となる。
【００４８】
〔実施形態２〕
図９に第２の実施形態にかかわる送風装置１の構造を示す。実施形態１と異なる点は、首振りモータ３１が回動軸１０の上方に設けられる点である。その他の構成は、実施形態１と同じであるので詳細な説明は省略する。
【００４９】
このようにすることで、図９において回動軸１０よりも右側になるモータハウジング部の長さが抑えられ、ケーシング２全体がコンパクトにできる。
また、第２収容部２１２の上部空間が送風装置１を携帯するときの把持部となっているため、最上部となる首振り機構部３０の廃熱が放出しやすくなる。
【００５０】
〔実施形態３〕
実施形態１または実施形態２では、ファンモータ１２が薄型モータであることで、回動軸１０をファンモータの後方、つまりファンモータ１２に対してファン１１の取り付け側と反対側に設置することが可能であった。このように、ファンモータの高性能化が進んでモータが薄型化されると、回動軸１０をファンモータと重なる位置に設置することで、さらなるコンパクト化も可能になる。このような例を本実施形態で示す。
【００５１】
本実施形態では、実施形態１または実施形態２と異なり、回動軸１０の中心線がファンモータ１２の胴体部分に侵入した位置にある。ファンモータの胴体部とはモータステータおよびロータが収納されている部分でモータの中心をなす部分である。図面を簡単にするために、回動軸１０、ファンモータ２１、首振りモータ３１の位置関係を図１０に示す。図は、首振りモータ３１が回動軸１０の下方に設置された状態を示す。
【００５２】
このように構成することで、モータハウジング部２１の長さを実施形態１や実施形態２よりもさらに短くすることが出来る。また、回動軸１０がファンモータ１２の胴体部分に侵入した位置にあることで、ファンモータ１２の質量がスタンド１４の軸に真直ぐにかかる状態となり、ケーシング２０を上下方向に回動した場合でも、重心位置の変動が少なくなり安定した状態で送風が可能になる。
【００５３】
なお、図１０では首振りモータ３１を回動軸１０の下方に設置したが、実施形態２で説明したように回動軸１０の上方に設置してもよい。また、ファンモータ２１の出力軸１２１の延長線上に回動軸１０の中心線が来るように配置することが好ましいのは、実施形態１および実施形態２と同じである。
【００５４】
〔まとめ〕
以上説明した本発明に係る送風装置は、モータと該モータの出力軸に取付けられるファンとを収容するケーシング、及び該ケーシングを軸方向が略水平方向の回動軸の回りに回動可能に支持するスタンドを備える送風装置において、前記回動軸の回りに前記ケーシングを回動させる駆動手段を備え、前記ファンの取付側とは反対側へ前記モータから離隔した位置に前記回動軸を配してある。
【００５５】
本発明に係る送風装置は、ケーシングを上下方向に回動するための前記回動軸の下方に前記ケーシングを回動させる駆動手段を備える。
【００５６】
また、本発明に係る送風装置は、前記回動軸の上方に前記ケーシングを回動させる駆動手段を備える。
【００５７】
また、本発明に係る送風装置は、ファンモータの回転軸の延長線上に回動軸の中心線が位置するように回動軸を配置する。
【００５８】
また、本発明に係る送風装置は、ファンモータの胴体部分に回動軸の中心線が位置するように回動軸を配置する。
【００５９】
これらの構造により、ケーシングを回動させる駆動手段をケーシング内部に収容することができ、ケーシングの外側に駆動装置を設ける必要がなくなるため、装置全体の省スペース化が図られる。
【００６０】
また、本発明にあっては、回動軸より後ろのモータハウジング部の長さを短くできるので、ケーシングを上方へ回動するときに短くなった分だけケーシング支持部との間に余裕が生じる。これによって、結果的にケーシング支持部の高さを下げることが出来、送風時の姿勢を安定させることが出来る。
【００６１】
さらに、スタンド軸に延長上に回動軸が配置されることによって、ケーシングを上下方向に回動した場合にも安定して送風を行うことが出来る。
【００６２】
また、本発明によれば、ケーシングを上下方向に回動した場合でも、回動軸に対するトルクが小さくなり、首振り機構部への負担が抑制できる。
【００６３】
以上説明したように、本発明によれば、駆動手段により自動首振り機構を設けつつ、省スペース化を図ることができる。
【００６４】
上述した実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【００６５】
また、本発明の効果がある限りにおいては、送風装置１に、実施の形態に開示されていない構成要素が含まれていてもよい。
【符号の説明】
【００６６】
１  送風装置
１０  回動軸
１１  ファン
１２  ファンモータ
１４  スタンド
２０  ケーシング
３１  首振りモータ
【図１】
0006523731.tif 000002
【図２】
0006523731.tif 000003
【図３】
0006523731.tif 000004
【図４】
0006523731.tif 000005
【図５】
0006523731.tif 000006
【図６】
0006523731.tif 000007
【図７】
0006523731.tif 000008
【図８】
0006523731.tif 000009
【図９】
0006523731.tif 000010
【図１０】
0006523731.tif 000011